(57)【特許請求の範囲】
【請求項１】
器具本体と、前記器具本体に取り付けられる点灯ユニットとを備え、
前記点灯ユニットは、１つ又は複数の光源ユニットと、電波を媒体とした無線通信を行う無線通信装置と、少なくとも一部が金属製であって、表面に前記光源ユニットが取り付けられており、かつ、裏面に前記無線通信装置が取り付けられている取付板とを有し、
前記器具本体は、一面に開口部を有する箱形に形成されており、
前記無線通信装置は、アンテナと、前記アンテナで受信する無線信号から制御指令を取得する無線通信回路と、前記アンテナ及び前記無線通信回路を収容する筐体とを有し、
前記取付板は、前記電波の波長の２分の１以上の長さを有して前記裏面から前記表面に向かって前記アンテナが挿通されるスリットが設けられ、かつ、前記表面を前記開口部に対向させる向きで前記器具本体内に収容されていることを特徴とする照明器具。
【請求項２】
前記点灯ユニットは、前記取付板の前記裏面に取り付けられて前記光源ユニットに電力を供給して点灯させる電源装置を有し、
前記器具本体は、筒状であって、軸方向に対向する２つの端面のうちの一方の端面に前記開口部が設けられている枠体と、前記枠体の他方の端面に設けられている天板とを有し、前記枠体の前記他方の端面には、前記天板で塞がれていない窓孔が設けられており、
前記電源装置は、前記電力を生成する電源回路と、前記電源回路を収容する金属製のケースとを有し、
前記電源装置及び前記無線通信装置は、前記取付板の前記裏面において、前記裏面の法線方向から見た前記窓孔の投影範囲外に取り付けられており、かつ、前記無線通信装置は、前記窓孔に対して前記電源装置よりも遠い位置に取り付けられていることを特徴とする請求項１記載の照明器具。
【発明の詳細な説明】
【技術分野】
【０００１】
本発明は、照明器具に関し、より詳細には電波を媒体とする無線通信が可能な照明器具に関する。
【背景技術】
【０００２】
従来例として、特許文献１記載のＬＥＤ装置を例示する。特許文献１記載のＬＥＤ装置は、合成樹脂製のハウジングと、ハウジングにインサートモールドされている金属コア印刷回路基板と、金属コア印刷回路基板に実装されているＬＥＤと、同じく金属コア印刷回路基板に実装されているアンテナとを有している。また、ハウジングの内部には、アンテナと接続されている無線受信機と、ＬＥＤや無線受信機に給電する電源とが収容されている。
【先行技術文献】
【特許文献】
【０００３】
【特許文献１】特表２０１５−５０８５６３号公報
【発明の概要】
【発明が解決しようとする課題】
【０００４】
ところで、特許文献１記載のＬＥＤ装置は、アンテナの受信感度を高めるためにハウジングが非金属材料（例えば、合成樹脂）で形成されている。しかしながら、金属コア印刷回路基板や電源などを支持するハウジングを形成する材料が、合成樹脂等の非金属材料に限定されてしまうと、ハウジング（器具本体）の機械的な強度を高めることが容易でなくなるという問題がある。
【０００５】
本発明は、上記課題に鑑みてなされており、受信感度の向上を図りつつ機械的な強度を高めることを目的とする。
【課題を解決するための手段】
【０００６】
本発明の照明器具は、器具本体と、前記器具本体に取り付けられる点灯ユニットとを備え、前記点灯ユニットは、１つ又は複数の光源ユニットと、電波を媒体とした無線通信を行う無線通信装置と、少なくとも一部が金属製であって、表面に前記光源ユニットが取り付けられており、かつ、裏面に前記無線通信装置が取り付けられている取付板とを有し、前記器具本体は、一面に開口部を有する箱形に形成されており、前記無線通信装置は、アンテナと、前記アンテナで受信する無線信号から制御指令を取得する無線通信回路と、前記アンテナ及び前記無線通信回路を収容する筐体とを有し、前記取付板は、前記電波の波長の２分の１以上の長さを有して前記裏面から前記表面に向かって前記アンテナが挿通されるスリットが設けられ、かつ、前記表面を前記開口部に対向させる向きで前記器具本体内に収容されていることを特徴とする。
【発明の効果】
【０００７】
本発明の照明器具は、受信感度の向上を図りつつ機械的な強度を高めることができるという効果がある。
【図面の簡単な説明】
【０００８】
【図１】本発明の実施形態に係る照明器具を示し、斜め上から見た分解斜視図である。
【図２】本発明の実施形態に係る照明器具を示し、斜め下から見た分解斜視図である。
【図３】本発明の実施形態に係る照明器具の平面図である。
【図４】本発明の実施形態に係る照明器具における電源装置及び無線通信装置の回路構成図である。
【図５】本発明の実施形態に係る照明器具における無線通信装置の分解斜視図である。
【図６】本発明の実施形態に係る照明器具を示し、一部省略した分解斜視図である。
【図７】本発明の実施形態に係る照明器具を示し、天板を省略した平面図である。
【図８】本発明の実施形態に係る照明器具を示し、無線通信装置を含む要部の断面図である。
【発明を実施するための形態】
【０００９】
以下、本発明の実施形態に係る照明器具について、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。また、以下の説明では、特に断りのない限り、図１に示す向きにおいて上下左右及び前後の各方向を規定する。
【００１０】
本実施形態に係る照明器具Ｘは、図１及び図２に示すように、器具本体１と、器具本体１に対して着脱可能に取り付けられる点灯ユニット２とを備えている。さらに、本実施形態に係る照明器具Ｘは、パネルユニット７を備えることが好ましい。
【００１１】
器具本体１は、角筒状の枠体１０と、矩形平板状の天板１１とが結合されることにより、下面に開口部を有する矩形箱状に形成されている。ただし、天板１１は、左右方向の長さが枠体１０の左右方向の長さよりも短く形成されている。そのため、器具本体１の上面における右端に、矩形の窓孔１２が設けられている。
【００１２】
枠体１０は、左右方向に対向する一対の第１側板１００と、前後方向に対向する一対の第２側板１０１とを有する。一対の第１側板１００は、おおよそ矩形板状に形成されている。一対の第２側板１０１は、おおよそ矩形板状に形成されている。ただし、一対の第２側板１０１における上下方向の中間部分には、左右方向の全長に渡る段部１０１０が設けられている。また、一対の第２側板１０１の段部１０１０には、２つの孔１０１１が左右方向に間隔を空けて形成されている。これらの孔１０１１は、第２側板１０１における段部１０１０と段部１０１０よりも上側の部分に渡って形成されている。枠体１０は、一対の第１側板１００の左右両端に、一対の第２側板１０１の左右両端がそれぞれ溶接されて構成されている。
【００１３】
天板１１は、鋼板などの金属板によって矩形の平板状に形成されている。また、天板１１は、給電用の電源線が挿通される挿通孔１１０が設けられている。挿通孔１１０に挿通される電源線は、天板１１の下面に固定される端子台１６に電気的に接続される。さらに、天板１１は、建物の躯体に埋め込まれている吊りボルトが挿通される複数（図示例では３つ）のボルト挿通孔１１２が前後方向に一列に並べて設けられている。
【００１４】
器具本体１は、天井材の埋込孔に挿入され、天板１１のボルト挿通孔１１２に挿通される吊りボルトにナットが締め付けられて吊りボルトに固定される。
【００１５】
点灯ユニット２は、図１及び図２に示すように、複数（図示例では４つ）の光源ユニット３、電源装置４、取付板５、無線通信装置６などを備えている。
【００１６】
４つの光源ユニット３は、ＬＥＤモジュール３０と、反射部材３１と、光学部材３２とをそれぞれ備えている（図２参照）。ＬＥＤモジュール３０は、おおよそ正方形状の基板３００と、基板３００の一面（下面）にマトリクス状に配置されて実装されている複数のＬＥＤ３０１とを有している。また、基板３００の下面には、右端における上下方向の中央にレセプタクルコネクタ３０２が実装されている。レセプタクルコネクタ３０２は、基板３００に形成されている導体を介してＬＥＤ３０１と電気的に接続されており、電源装置４からの出力線に結線されたプラグコネクタと抜き差し可能に接続される。
【００１７】
反射部材３１は、合成ゴムや合成樹脂などの絶縁材料からなるシート材の表面（下面）に、反射率が相対的に高い物質からなる反射層が形成されて構成されている。反射部材３１には、基板３００に実装されたＬＥＤ３０１とそれぞれ対応する位置に複数の貫通孔３１０が形成されている。反射部材３１は、基板３００の下面全体に接するように、基板３００と重ねて配置されており、反射部材３１が基板３００に重ねて配置された状態では、反射部材３１の貫通孔３１０から対応するＬＥＤ３０１が露出している。そして、反射部材３１が基板３００に重ねて配置された状態では、ＬＥＤ３０１から反射部材３１に直接入射した光や、光学部材３２の内部で反射あるいは屈折されて反射部材３１に入射した光が、反射部材３１によって下側へ反射される。なお、反射部材３１は、透光性を有する透明な両面テープを用いて、光学部材３２の上面に貼り付けられることが好ましい。あるいは、反射部材３１は、基板３００の下面に貼り付け固定されてもよい。さらに、反射部材３１は、両面テープによる貼り付け以外の方法で光学部材３２又は基板３００に固定されてもよい。
【００１８】
光学部材３２は、複数（ＬＥＤ３０１と同数）のレンズ３２０と、複数のレンズ３２０を結合する係合部３２１とが、透光性を有する合成樹脂（例えばアクリル樹脂）で一体に成形されることによって構成されている。光学部材３２は、両面テープを用いて、反射部材３１の下面に貼り付けられて固定されている。
【００１９】
光源ユニット３は、取付板５の下面にねじ止めされて取り付けられている。取付板５は、全周に渡って矩形板状の側壁５０が設けられている。また、取付板５は、左右両端における前後方向の中央部に取付金具５１がそれぞれねじ止めされている。また、取付板５の上面には、電源装置４と無線通信装置６が取り付けられている。
【００２０】
電源装置４は、プリント配線板に電子部品が実装されて構成される電源回路と、前記電源回路を収容するケース４２とを有する。電源回路の回路図を図４に示す。この電源回路は、入力コネクタ４００、フィルタ回路４０１、整流器４０２、昇圧回路４０３、降圧回路４０４、出力コネクタ４０５、主制御回路４０６、制御電源回路４０７、調光制御回路４０８、消灯制御回路４０９、制御用コネクタ４１０などを備える。
【００２１】
入力コネクタ４００は、端子台１６を介して外部電源（商用交流電源）９と電気的に接続される。フィルタ回路４０１は、コモンモードチョークコイル４０１０と、アクロス・ザ・ラインコンデンサ４０１１とで構成される。整流器４０２は、ダイオードブリッジで構成され、フィルタ回路４０１及び入力コネクタ４００を介して外部電源９と交流入力端子が電気的に接続され、外部電源９から供給される交流電圧・交流電流を全波整流して直流出力端子から出力する。
【００２２】
昇圧回路４０３は、チョークコイルＬ１、スイッチ素子Ｑ１、整流素子Ｄ１、平滑コンデンサＣ１などで構成される、従来周知の昇圧チョッパ回路（力率改善回路）である。また、降圧回路４０４は、スイッチ素子Ｑ２、インダクタＬ２、整流素子Ｄ２、抵抗Ｒ１、平滑コンデンサＣ２などで構成される、従来周知の降圧チョッパ回路（バックコンバータ）である。整流器４０２から出力される脈流電圧が昇圧回路４０３で昇圧され、昇圧回路４０３から出力される直流電圧が降圧回路４０４で降圧される。出力コネクタ４０５は、レセプタクルコネクタからなり、降圧回路４０４の出力端子（平滑コンデンサＣ２の両端）と電気的に接続される。
【００２３】
主制御回路４０６は、昇圧回路４０３のスイッチ素子Ｑ１並びに降圧回路４０４のスイッチ素子Ｑ２をそれぞれスイッチングし、昇圧回路４０３の出力電圧を一定に維持するとともに、降圧回路４０４の出力電流を目標値に一致させるように構成される。制御電源回路４０７は、昇圧回路４０３の出力電圧から制御電圧（例えば、５Ｖ〜３Ｖ程度の直流電圧）を生成するように構成される。主制御回路４０６は、制御電源回路４０７から供給される制御電圧で動作する。
【００２４】
制御用コネクタ４１０は、レセプタクルコネクタからなり、無線通信装置６のプラグコネクタ６３（図５参照）が差込接続される。後述するように、無線通信装置６から出力される制御信号が制御用コネクタ４１０を介して調光制御回路４０８と消灯制御回路４０９に入力される。
【００２５】
消灯制御回路４０９は、制御信号に応じて、点灯中のＬＥＤモジュール３０を消灯させるための消灯信号を生成して主制御回路４０６に出力するように構成される。主制御回路４０６は、消灯信号を受け取ると、スイッチ素子Ｑ２のスイッチングを中止して降圧回路４０４を停止させ、ＬＥＤモジュール３０を消灯するように構成される。ただし、主制御回路４０６は、消灯信号を受け取った場合、スイッチ素子Ｑ２だけでなくスイッチ素子Ｑ１のスイッチングも中止して昇圧回路４０３と降圧回路４０４を双方とも停止させてもよい。このように昇圧回路４０３と降圧回路４０４の双方が停止すれば、降圧回路４０４のみが停止する場合と比較して、消灯中における電源装置４の消費電力が削減される。
【００２６】
また、調光制御回路４０８は、制御信号に応じて、ＬＥＤモジュール３０の光出力（調光レベル）を指示する調光信号を生成して主制御回路４０６に出力するように構成される。なお、調光レベルは、定格電力が供給されているときのＬＥＤモジュール３０の光出力を１００％としたとき、ＬＥＤモジュール３０に供給される単位時間当たりの平均電力の定格電力に対する比率（％）で表される。例えば、ＬＥＤモジュール３０に供給される単位時間当たりの平均電力が定格電力の半分のとき、調光レベルが５０％となる。言い換えると、調光制御回路４０８は、制御信号で指示される調光レベルが５０％であれば、降圧回路４０４からＬＥＤモジュール３０に供給される単位時間当たりの平均電力を定格電力の半分にするように指示する調光信号を生成する。主制御回路４０６は、調光制御回路４０８から受け取る調光信号に応じて、スイッチ素子Ｑ２のオンデューティ比を調整するように構成されることが好ましい。さらに詳しく説明すると、調光制御回路４０８は、抵抗Ｒ１の両端電圧から降圧回路４０４の出力電流を検出し、当該出力電流の平均値を調光レベルに対応した目標値に一致させるように、調光信号を生成するように構成されることが好ましい。
【００２７】
プリント配線板は、長尺の矩形平板状の絶縁基板の裏面に配線用の導体（銅はく）が形成されて構成される。プリント配線板の表面に、コネクタや平滑コンデンサ、コモンモードチョークコイル４０１０などの、いわゆるリード部品が実装される。そして、プリント配線板の裏面に、整流器４０２、主制御回路４０６、調光制御回路４０８、消灯制御回路４０９などを構成している表面実装部品が実装される。
【００２８】
ケース４２は、図１に示すように、金属製の板材によって長尺の箱状に形成されている。電源装置４は、ケース４２の長手方向の両端部分が取付板５の上面にねじ止めされることによって、取付板５に取り付けられている。なお、電源装置４は、ケース４２の長手方向を前後方向と一致させ、かつ、取付板５の左右方向の中央から僅かに右寄りの位置で取付板５に取り付けられている（図１参照）。
【００２９】
無線通信装置６は、図５に示すように、回路ブロック６０、筐体６１、信号ケーブル６２、プラグコネクタ６３などを備えている。回路ブロック６０は、回路基板６０Ａと、回路カバー６０Ｂとを有している。また、回路ブロック６０は、図４に示すように、アンテナ６００、無線通信回路６０１、無線制御回路６０２、光通信回路６０３、フォトカプラ６０４、抵抗Ｒ２、Ｒ３、信号出力部６０５などを有している。回路基板６０Ａは、第１領域６０ＡＡと第２領域とに分けられている（図５参照）。第１領域６０ＡＡには、アンテナ６００を構成する導体が形成されている。また、第２領域には、アンテナ６００を除く、無線通信回路６０１、無線制御回路６０２、光通信回路６０３、フォトカプラ６０４、抵抗Ｒ２、Ｒ３、信号出力部６０５などが実装されている。なお、回路カバー６０Ｂは、電磁波を遮断する材料、例えば、銅板やアルミ板などの金属板で箱状に形成され、第２領域を覆うように回路基板６０Ａに取り付けられている。
【００３０】
無線通信回路６０１は、アンテナ６００で受信する無線信号、例えば、９２０ＭＨｚ帯の電波を媒体とする無線信号を受信し、当該無線信号から制御指令を取得するように構成されている。なお、無線信号は、送信機から送信され、照明器具Ｘの点灯・消灯や調光レベルの調整などを行うための制御指令を伝送している。無線通信回路６０１は、無線信号から取得した制御指令を無線制御回路６０２に出力している。無線制御回路６０２は、例えば、マイクロコントローラで構成されている。無線制御回路６０２は、無線通信回路６０１から受け取った制御指令を伝送するための制御信号を生成する。また、無線制御回路６０２は、制御信号が伝送される一対の信号線と電気的に接続される。無線制御回路６０２には、フォトカプラ６０４の入力端子と、限流用の抵抗Ｒ２とが電気的に直列接続される。つまり、フォトカプラ６０４の入力端子には、信号線に伝送される制御信号が無線制御回路６０２を介して入力される。
【００３１】
信号出力部６０５は、信号ケーブル６２を介して電源装置４の制御用コネクタ４１０と電気的に接続される。信号ケーブル６２は３本の電線６２Ａ〜６２Ｃで構成される。そして、電源装置４のグランドとフォトカプラ６０４の負極側の出力端子（フォトトランジスタのエミッタ）とが１本の電線６２Ａで電気的に接続される。また、制御電源回路４０７の出力端子と抵抗Ｒ３の一端との接続点が、他の１本の電線６２Ｂで電気的に接続される。さらに、抵抗Ｒ３の他端とフォトカプラ６０４の正極側の出力端子（フォトトランジスタのコレクタ）の接続点が、残り１本の電線６２Ｃで調光制御回路４０８及び消灯制御回路４０９と電気的に接続される。つまり、抵抗Ｒ３とフォトトランジスタの直列回路には常に一定の制御電源電圧が印加される。そのため、調光制御回路４０８及び消灯制御回路４０９に入力される制御信号は、フォトカプラ６０４の入力電圧がハイレベルのときにローレベルとなり、フォトカプラ６０４の入力電圧がローレベルのときにハイレベルとなる。例えば、無線制御回路６０２で生成される制御信号がパルス幅変調（ＰＷＭ）信号である場合を想定する。この場合、無線制御回路６０２は、制御指令の調光レベルか１００％ときに制御信号のデューティ比を９５％とし、調光レベルが低く（暗く）なるにつれてデューティ比を減少させればよい。調光制御回路４０８は、無線制御回路６０２から伝送される制御信号のデューティ比が９５％のときに調光レベルを１００％とし、デューティ比が減少するにつれて調光レベルを減少させればよい。また、消灯制御回路４０９は、制御信号のデューティ比が下限値（例えば、１０％）以下のときに、消灯信号を出力すればよい。
【００３２】
光通信回路６０３は、赤外線を媒体とする無線通信を行うように構成されている。すなわち、光通信回路６０３は、回路基板６０Ａの第２領域に実装されている受光素子６０３Ａで赤外線信号を受信（受光）し、受信した赤外線信号から取得する設定情報を無線制御回路６０２に出力するように構成されている。なお、設定情報とは、例えば、無線信号（電波）の送信元である送信機に割り当てられている固有の識別情報である。無線制御回路６０２は、光通信回路６０３から受け取った設定情報を、マイクロコントローラに内蔵されているメモリに記憶している。無線通信回路６０１は、アンテナ６００で受信する無線信号から、制御指令だけでなく、送信元の送信機の識別情報を取得して無線制御回路６０２に出力する。無線制御回路６０２は、無線通信回路６０１から受け取った識別情報がメモリに記憶（登録）されている識別情報と一致すれば、無線通信回路６０１から受け取った制御指令を伝送するための制御信号を生成する。一方、無線制御回路６０２は、無線通信回路６０１から受け取った識別情報がメモリに記憶されている識別情報と一致しなければ、無線通信回路６０１から受け取った制御指令を破棄して制御信号を生成しない。つまり、無線制御回路６０２は、無線通信回路６０１が複数の送信機から無線信号を受信可能であっても、識別情報が予め登録されている特定の送信機から送信される制御指令だけを受け入れるように構成されている。
【００３３】
筐体６１は、図５に示すように、ボディ６１０とカバー６１１を備えている。ボディ６１０は、一面（下面）が開放された箱状の合成樹脂成形体で構成されている。ボディ６１０は、短手方向に対向する２つの側壁のうちの一方の側壁に、信号ケーブル６２が挿通される挿通溝６１００が設けられている。また、ボディ６１０は、２つの雌ねじ部６１０１を有している。さらに、ボディ６１０は、長手方向に対向する２つの側壁に、一対の引掛孔６１０２がそれぞれ短手方向に並ぶように設けられている。
【００３４】
カバー６１１は、おおよそ矩形板状の蓋体６１１０と、２対の固定脚６１１１と、アンテナ収容部６１１２とを有している。固定脚６１１１は、蓋体６１１０の短手方向に沿った両端から、それぞれ上向きに突出するように形成されている。なお、これら２対の固定脚６１１１の先端（上端）には、外向きに突出する引掛爪６１１１０が設けられている。アンテナ収容部６１１２は、おおよそ扁平な矩形箱状であって、蓋体６１１０の下面から下向きに突出し、蓋体６１１０の上面に開口するように蓋体６１１０と一体に形成されている。また、アンテナ収容部６１１２の長手方向の端部には、蓋体６１１０の厚み方向（上下方向）に貫通する貫通孔６１１３が設けられている。
【００３５】
ボディ６１０とカバー６１１は、カバー６１１の２対の固定脚６１１１がボディ６１０の４つの引掛孔６１０２に引っ掛けられることによって結合されている（図６参照）。回路ブロック６０は、回路カバー６０Ｂが取り付けられている回路基板６０Ａの第２領域がボディ６１０内に収容され、回路基板６０Ａの第１領域６０ＡＡ（アンテナ６００）がアンテナ収容部６１１２に収容されている（図８参照）。なお、カバー６１１の貫通孔６１１３は、回路基板６０Ａの第２領域に実装されている受光素子６０３Ａの受光部６０３ＡＡと対向している。つまり、設定器から送信される赤外線信号は、筐体６１（カバー６１１）の貫通孔６１１３を通して受光素子６０３Ａに受信（受光）される。
【００３６】
無線通信装置６は、固定金具６４を介して取付板５の上面に固定されている（図６及び図７参照）。固定金具６４は、矩形の金属板で構成されている。固定金具６４は、長手方向の両端に、板厚方向（上下方向）に貫通する丸孔６４０が設けられている。また、固定金具６４は、無線通信装置６のアンテナ６００（アンテナ収容部６１１２）が挿通される挿通孔６４１が設けられている。さらに、固定金具６４は、挿通孔６４１の縁に、２つのねじ挿通孔６４２が設けられている。無線通信装置６の筐体６１は、アンテナ収容部６１１２が挿通孔６４１に挿通された状態で、２つのねじ挿通孔６４２に挿通される２本のねじが、それぞれ筐体６１の２つの雌ねじ部６１０１にねじ込まれることで固定金具６４に固定されている。そして、固定金具６４は、２つの丸孔６４０に挿通されるねじが、取付板５に設けられているねじ孔５２にねじ込まれることによって、取付板５の上面に固定されている（図１及び図６参照）。ここで、取付板５には、無線通信装置６のアンテナ６００（アンテナ収容部６１１２）が挿通されるスリット５３が設けられている（図１及び図６参照）。このスリット５３は、取付板５に取り付けられている４つのＬＥＤモジュール３０のうち、取付板５の左側において前後方向に隣り合う２つのＬＥＤモジュール３０に挟まれた位置に設けられている（図１参照）。スリット５３は、左右方向を長手方向とする長尺の矩形状であって、長手方向の長さが、無線信号の媒体となる電波の波長の２分の１以上に形成されている。例えば、無線信号に利用される電波が９２０ＭＨｚ帯の電波である場合、当該電波の波長は約３３［ｃｍ］であるから、スリット５３の長さは、１７［ｃｍ］程度が好ましい。なお、スリット５３の幅（短手方向の長さ）は、筐体６１のアンテナ収容部６１１２の厚みよりも大きく、かつ、筐体６１のボディ６１０の短手方向の長さよりも短ければよい。
【００３７】
パネルユニット７は、図１及び図２に示すように、パネル７０、パネル枠７１、４つの固定ばね７２などを備えている。パネル７０は、透光性を有して矩形平板状に形成されている。パネル７０は、例えば、拡散材が混入されたアクリル樹脂やポリカーボネート樹脂で形成されることが好ましい。
【００３８】
パネル枠７１は、矩形の枠状に形成されている。また、パネル枠７１は、上面から上向きに立ち上がる周壁７１０が全周に渡って設けられている。なお、周壁７１０の左右両側における前後方向のほぼ中央に、取付板５の取付金具５１がねじ止めされる。つまり、パネル枠７１は、周壁７１０の内側にパネル７０及び点灯ユニット２が収められた状態で一対の取付金具５１に周壁７１０がねじ止めされることで点灯ユニット２と結合されている。
【００３９】
４つの固定ばね７２は、いずれも金属製の線材で構成されたねじりコイルばねである。４つの固定ばね７２は、コイル７２０と、コイル７２０の両端から互いに離れる向きに伸びた一対の腕７２１とを、それぞれ有している。ただし、一対の腕７２１は、先端部分がほぼ直角に曲げられている。これら４つの固定ばね７２は、４つの連結金具７３によってパネル枠７１の前後両側の周壁７１０にそれぞれ２つずつ取り付けられている（図１参照）。
【００４０】
パネル枠７１は、４つの固定ばね７２のそれぞれの腕７２１が器具本体１の枠体１０の４つの孔１０１１にそれぞれ挿入され、コイル７２０のばね力によって一対の腕７２１が孔１０１１の周縁に引っ掛かることにより、器具本体１に取り付けられる（図３参照）。
【００４１】
ここで、本実施形態に係る照明器具Ｘは、図８に示すように、無線通信装置６のアンテナ６００（アンテナ収容部６１１２）がスリット５３に挿通されることで取付板５の下側に配置されている。したがって、送信機から送信される無線信号（電波）は、絶縁体（合成樹脂）からなるパネル７０を透過してアンテナ６００で受信される。また、スリット５３が無線信号に利用されている電波の波長の２分の１以上の長さに形成されているため、無線信号は、スリット５３を通過して取付板５の上側に到達する。さらに、取付板５の上方には、導電性を有する器具本体１（の枠体１０及び天板１１）が存在しているので、スリット５３を通過した電波が器具本体１に反射する。そして、反射した電波の一部は、無線通信装置６の筐体６１内に進入してアンテナ６００で受信される。つまり、本実施形態に係る照明器具Ｘは、無線通信装置６のアンテナ６００が取付板５のスリット５３に挿通されることで無線信号（電波）を受信し易くなる。さらに、スリット５３が電波の波長の２分の１以上の長さに形成されているので、無線信号（電波）は、スリット５３から器具本体１内に進入し、かつ、器具本体１内で反射してアンテナ６００に受信される可能性が高くなる。したがって、本実施形態に係る照明器具Ｘは、波長の２分の１以上の長さのスリット５３が取付板５に設けられていない場合と比較して、受信感度の向上を図ることができる。しかも、本実施形態に係る照明器具Ｘは、無線通信装置６が取り付けられる取付板５を金属製とすることができるので、従来例のように電波を透過させる材料（合成樹脂等）で取付板５を形成する必要がなく、点灯ユニット２の機械的な強度を高めることができる。
【００４２】
ところで、本実施形態に係る照明器具Ｘは、器具本体１の上面における右端に、矩形の窓孔１２が設けられている。この窓孔１２は、器具本体１が吊りボルトに取り付けられる際に、施工作業を行う作業者の手が吊りボルトに届くようにするために設けられている。しかしながら、スリット５３を通過して器具本体１内に進入した無線信号（電波）が窓孔１２を通して器具本体１の外へ抜けてしまう可能性がある。
【００４３】
そこで、本実施形態に係る照明器具Ｘは、取付板５の上面において、無線通信装置６と窓孔１２との間に、金属製のケース４２を有する電源装置４が配置されている。さらに、電源装置４及び無線通信装置６は、取付板５の上面において、上下方向から見た窓孔１２の投影範囲外に取り付けられている（図３参照）。したがって、スリット５３を通過して器具本体１内に進入した無線信号（電波）は、電源装置４のケース４２に反射し、窓孔１２を通して器具本体１の外へ抜け難くなる。その結果、本実施形態に係る照明器具Ｘは、スリット５３を通過して器具本体１内に進入する無線信号のうち、窓孔１２を通して器具本体１の外へ抜ける無線信号の割合を低下させ、アンテナ６００の受信感度の向上を図ることができる。
【００４４】
なお、スリット５３において、アンテナ６００（アンテナ収容部６１１２）が挿入される場所は、スリット５３の長手方向における中央付近が好ましい。また、虫の進入などを抑えるため、スリット５３における、アンテナ収容部６１１２の挿入箇所以外の部分が、電波を透過させる材料（例えば、合成樹脂など）で形成されている板材で塞がれることが好ましい。
【００４５】
上述のように本実施形態に係る照明器具Ｘは、器具本体１と、器具本体１に取り付けられる点灯ユニット２とを備えている。点灯ユニット２は、１つ又は複数の光源ユニット３と、電波を媒体とした無線通信を行う無線通信装置６とを有している。また、点灯ユニット２は、少なくとも一部が金属製であって、表面（下面）に光源ユニット３が取り付けられており、かつ、裏面（上面）に無線通信装置６が取り付けられている取付板５を有している。器具本体１は、一面（下面）に開口部を有する箱形に形成されている。無線通信装置６は、アンテナ６００と、アンテナ６００で受信する無線信号から制御指令を取得する無線通信回路６０１と、アンテナ６００及び無線通信回路６０１を収容する筐体６１とを有している。取付板５は、電波の波長の２分の１以上の長さを有して裏面（上面）から表面（下面）に向かってアンテナ６００が挿通されるスリット５３が設けられ、かつ、表面（下面）を開口部に対向させる向き（下向き）で器具本体１内に収容されている。
【００４６】
本実施形態に係る照明器具Ｘが上述のように構成されれば、スリット５３を通過して器具本体１内に進入する無線信号を器具本体１に反射させてアンテナ６００に受信させることができる。しかも、無線信号を通過させるためのスリット５３が設けられていれば、取付板５が合成樹脂などの電波を通過させる材料だけで形成される必要がなく、取付板５の少なくとも一部が金属製であっても構わない。その結果、本実施形態に係る照明器具Ｘは、受信感度の向上を図りつつ機械的な強度（特に、点灯ユニット２の機械的な強度）を高めることができる。
【００４７】
また、本実施形態に係る照明器具Ｘにおいて、点灯ユニット２は、取付板５の裏面（上面）に取り付けられて光源ユニット３に電力を供給して点灯させる電源装置４を有していることが好ましい。器具本体１は、筒状であって、軸方向に対向する２つの端面のうちの一方の端面（下面）に開口部が設けられている枠体１０と、枠体１０の他方の端面（上面）に設けられている天板１１とを有していることが好ましい。また、器具本体１は、枠体１０の他方の端面（上面）には、天板１１で塞がれていない窓孔１２が設けられていることが好ましい。電源装置４は、電力を生成する電源回路と、電源回路を収容する金属製のケース４２とを有していることが好ましい。電源装置及び無線通信装置６は、取付板５の裏面（上面）において、裏面（上面）の法線方向（上下方向）から見た窓孔１２の投影範囲外に取り付けられていることが好ましい。かつ、無線通信装置６は、窓孔１２に対して電源装置４よりも遠い位置に取り付けられていることが好ましい。
【００４８】
本実施形態に係る照明器具Ｘが上述のように構成されれば、スリット５３を通過して器具本体１内に進入した無線信号（電波）が電源装置４のケース４２に反射し、窓孔１２を通して器具本体１の外へ抜け難くなる。その結果、本実施形態に係る照明器具Ｘは、スリット５３を通過して器具本体１内に進入する無線信号のうち、窓孔１２を通して器具本体１の外へ抜ける無線信号の割合を低下させ、アンテナ６００の受信感度の向上を図ることができる。
【符号の説明】
【００４９】
Ｘ  照明器具
１  器具本体
２  点灯ユニット
３  光源ユニット
４  電源装置
５  取付板
６  無線通信装置
１２  窓孔
４２  ケース
５３  スリット
６００  アンテナ
６０１  無線通信回路
【図１】
0006548122.tif 000002
【図２】
0006548122.tif 000003
【図３】
0006548122.tif 000004
【図４】
0006548122.tif 000005
【図５】
0006548122.tif 000006
【図６】
0006548122.tif 000007
【図７】
0006548122.tif 000008
【図８】
0006548122.tif 000009